(57)【要約】      （修正有）【課題】猪や鹿の侵入を防止する為に使用するシートの提供。【解決手段】シート１は細長い長方形を成し、猪の場合は色彩をブルーとし、鹿の場合には色彩をレッドとし、該シート１の一部に収容部７を形成すると共に該収容部７には猪や鹿が嫌う臭いを発散する忌避剤を収容し、該シート１は張設されたロープ、又はフェンスなどに吊下げられる。【選択図】図１
2010213671.tif 000002
【特許請求の範囲】
【請求項１】
猪の侵入を防止する為に使用するシートであり、該シートは細長い長方形を成して色彩はブルーとし、シートの一部に収容部を形成すると共に該収容部には猪が嫌う臭いを発散する忌避剤を収容し、該シートは張設されたロープやワイヤー、又はフェンスなどに吊下げられることを特徴とする猪の侵入防止用シート。
【請求項２】
上記シートを幅方向に２つ折りして片側縁、下縁、及び上縁を縫い合わせ、そして下縁から所定の間隔をおいた位置を縫い合わせることで上記収容部を形成した請求項１記載の猪の侵入防止用シート。
【請求項３】
上記シートの下端部側にロープの下方に張設した補助ロープに連結する為のリボンを縫い付けた請求項１、又は請求項２記載の猪の侵入防止用シート。
【請求項４】
鹿の侵入を防止する為に使用するシートであり、該シートは細長い長方形を成して色彩はレッドとし、シートの一部に収容部形成すると共に該収容部には鹿が嫌う臭いを発散する忌避剤を収容し、該シートは張設されたロープやワイヤー、又はフェンスなどに吊下げられることを特徴とする鹿の侵入防止用シート。
【請求項５】
上記シートを幅方向に２つ折りして片側縁、下縁、及び上縁を縫い合わせ、そして下縁から所定の間隔をおいた位置を縫い合わせることで上記収容部を形成した請求項４記載の鹿の侵入防止用シート。
【請求項６】
上記シートの下端部側にロープの下方に張設した補助ロープに連結する為のリボンを縫い付けた請求項４、又は請求項５記載の鹿の侵入防止用シート。
【発明の詳細な説明】
【技術分野】
【０００１】
本発明は、農作物等を猪や鹿の食害から防護する為に、田畑に侵入して荒らし回ることを防止する侵入防止用シートに関するものである。
【背景技術】
【０００２】
近年では、人間による環境破壊の影響で、農地や果樹園に出没して農作物や果物を食い荒らす猪や鹿などによる被害は年々増加してきており、その対策として、古くはカーバイトやプロパンガス等による一定の周期で爆発する装置をはじめ、農地の周りに電流を流す電気柵を張りめぐらすことにより、野生動物の侵入を防止する色々な方法が採用されている。
一方、田畑を荒らし回るだけでなく、道路に侵入して事故を起す場合も多く、特に高速道路へ猪や鹿が侵入することはドライバーにとって非常に危険である。
【０００３】
実用新案登録第３１４５０８４号に係る「猪侵入防止柵」は、簡単な構成で十分な強度を有し、安価に設置することができるとともに、猪が乗り越えることができず且つ地面を掘って侵入することも確実に防止することができる猪侵入防止柵である。
そこで、横方向に間隔をおいて配置された複数の縦方向の鋼線と、上下方向に間隔をおいて配置された複数の横方向の鋼線との交点が結合された地上に位置するフェンス部と、フェンス部から突出した縦方向の鋼線の下部を地中に埋める埋め込み部を有し、フェンス部の猪が飛び超えない上半分の高さまでを横方向の鋼線が狭い間隔で配置され、残りの半分の高さは広い間隔で配置されている。
【０００４】
特開平６−２７６９１１号に係る「猪、鹿用防護柵」は、有効に猪、鹿の侵入を防止するものであり、網目が、猪や鹿の足が填まる大きさとなった網を、地面から離して、地面に沿って略水平に設けており、猪や鹿は足がものに填まることを極端に嫌う性質があるので、網目に足が填まると退散することが出来る。
【０００５】
これらの他にも、特開２００２−３４４３１号に係る「猪による食害の防止方法」、特開２００２−２３３２９３号に係る「猪侵入防止柵」など、色々知られている。しかし、これら従来の鋼線で構成した侵入防止柵や電流を流す電気柵は、第１にコストがかかり簡単に設置することは出来ない。そして、これら侵入防止柵は猪や鹿が侵入を試みる際に、少なくとも一部が損傷したり破損したりする為に、補修に手間がかかるといった問題もある。
【特許文献１】実用新案登録第３１４５０８４号に係る「猪侵入防止柵」
【特許文献２】特開平６−２７６９１１号に係る「猪、鹿用防護柵」
【特許文献３】特開２００２−３４４３１号に係る「猪による食害の防止方法」
【特許文献４】特開２００２−２３３２９３号に係る「猪侵入防止柵」
【発明の開示】
【発明が解決しようとする課題】
【０００６】
このように従来の猪や鹿の侵入防止柵などには上記のごとき問題がある。本発明が解決しようとする課題はこの問題点であり、コストが安くてどこにでも手軽に設置することが出来る猪及び鹿の侵入防止用シートを提供する。
【課題を解決するための手段】
【０００７】
本発明に係る猪及び鹿の侵入防止用シート（以下、シートと省略）は、長方形の細長いシートであり、上端はロープ等に連結して吊設される。シートの大きさ（サイズ）は特に限定せず、色彩は猪用にはブルーとし、鹿用はレッドとしている。そして、該シートには猪や鹿が嫌う臭いが発散するように、形成した収容部に忌避剤を収容している。ここで、該忌避剤の具体的な種類は限定しないことにする。
【０００８】
ところで、猪や鹿の侵入を防止する田畑及び果樹園などの周りにロープを張設し、このロープに所定の間隔をおいて吊下げている。従って、各シートは風が当れば揺れ動くことが出来、近くによれば発散する忌避剤の臭いが漂う。又、該シートはロープでなく、金属製のワイヤーに吊下げることもあり、さらにはフェンスに吊下げることも可能である。すなわち、吊下げる為の対象物は特に限定しないことにする。
【発明の効果】
【０００９】
本発明に係る猪や鹿の侵入防止用シートは細長い長方形のシートで、これをロープ又はワイヤーなどに吊下げるだけの構造であり、極めて簡単でコストも安く、特別な補修作業も不要である。猪の場合にはブルーのシートが使用され、鹿の場合にはレッドのシートを用いることで、猪や鹿はこれら色彩のシートを離れた所から目に入ることで近づかないようになる。
【００１０】
シートは吊下げただけで、風が吹くと揺れ動くことから、猪や鹿はブルーやレッドのシートが目に入ることで近づかないが、仮に近づいたならば忌避剤から発散する臭いによって猪や鹿は去って行く。又、既に設置してあるフェンスがある場合には、このフェンスの上端にシートを吊下げることで猪や鹿が該フェンスを乗り越えて侵入することはなくなる。
【図面の簡単な説明】
【００１１】
【図１】本発明に係るシートを示す実施例。
【図２】図１（ａ）のＡ−Ａ断面拡大図。
【図３】図１（ｂ）のＢ−Ｂ断面拡大図。
【図４】ロープにシート吊下げた場合。
【図５】ロープにシート吊下げると共に、下端部を補助ロープに連結している場合。
【図６】フェンスを利用してシートを吊下げている場合。
【発明を実施するための形態】
【００１２】
図１は本発明に係る猪や鹿の侵入防止用シートを示す実施例であり、（ａ）は正面図、（ｂ）は背面図を表している。該シート１は不織布で構成され、猪用であるならばその色彩をブルーとし、又鹿用であるならばその色彩がレッドと成っている。そして大きさ（寸法）は特に限定しないが、一般的には幅は９．５ｃｍ、高さが５０ｃｍとし、上端には２個の穴２，２が貫通し、この穴２，２に紐にてロープに締め付け・固定することが出来る。
【００１３】
勿論、紐で結ぶのではなく、専用の吊設具（図示なし）を用いてロープやワイヤーに吊設することも可能であるが、具体的な吊下げ方法に関して限定するものではない。ところで、同図に示すシート１は幅方向に２つ折りした２重構造としており、片側縁３、下縁４、及び上縁５が縫い合わされている。そして、上端部にはビニールシート６が溶着されており、穴２，２に紐を通して吊設した場合に損傷しないようにビニールシート６にて補強されている。勿論、ビニールシート６がシート１の両面を被覆して溶着された後で、上記穴２，２が貫通して設けられる。
【００１４】
そして、下端部には、下縁４から所定の間隔をおいて縫い合わされることで収容部７が形成されている。又、下端部にはリボン８がリング状を成して縫い付けられていて、ロープやワイヤーに吊下げられたシート１が風で大きく揺れたり、時には強風で捲くれ上ることがないように、該リボン８を介して止着することが出来る。
【００１５】
図２は図１（ａ）のＡ−Ａ断面拡大図を示している。すなわち、上記収容部７の横断面拡大図である。ところで、この収容部７には猪や鹿が嫌う忌避剤９が収容されている。例えば、猪や鹿が嫌がる忌避剤とは、天然物のカプサイシンが適しており、これに流紋岩系天然硝子粒子を混合したものであるが、これに限定することはしない。又、図３は図１（ｂ）のＢ−Ｂ断面拡大図を示しているが、リボン８がリング状をなしてシート１に縫い付けられている。
【００１６】
図４は本発明のシート１，１・・・がロープ１０に吊下げされている場合を示している。該ロープ１０には一定の張力が付勢されて張設されていて、このロープ１０に複数枚のシート１，１・・・が一定間隔毎に吊設されている。このロープ１０は猪や鹿の侵入を防止したい田畑の周囲を囲むように張設され、又、住宅の周囲に張設され、そして、該ロープ１０に紐や特別の吊設具を介してシート１，１・・・が吊下げられる。
【００１７】
ここで、該ロープ１０が張設される地面からの高さは、猪の場合には６０ｃｍ〜８０ｃｍとされ、シート１を吊下げた状態では、その下端から地面までの距離が１０ｃｍ〜３０ｃｍが適している。そして、鹿の場合には、張設されるロープ１０の高さは１１０ｃｍ〜１３０ｃｍが好ましい。これは、数多くのテスト結果で得られる値である。
【００１８】
図５はシート１，１・・・がロープ１０に吊下げられている場合であるが、該ロープ１０の下方には補助ロープ１１が平行に張設されている。シート１，１・・・が該ロープ１０に吊下げられ、補助ロープ１１には下端部に縫い付けられているリボン８が止着される。リボン８が補助ロープ１１に止着されることで、強風時においても大きく揺れ動くことなく、ましてや捲くれ上ることもない。該補助ロープ１１にはリボン８が紐によって連結される。
【００１９】
図６はシート１，１・・・の吊下げ方法を示す別の実施形態である。同図のように道路に沿ってフェンス１２が沿設される場合は多く、該フェンス１２は上桟１３、下桟１４、及び所定の距離をおいて起立するスタンド１５，１５・・・にてフレームを構成し、形成される空間には金網１６が取付けられている。そこで、本発明のシート１，１・・・を上桟１３に吊下げることが出来る。
【００２０】
従来のフェンスだけでは猪や鹿の侵入を完全に防止することは出来ないが、本発明に係るシート１，１・・・を同図に示すように吊下げることで、該フェンスに近づかず、ましてや該フェンスを乗り越えて侵入することはない。例えば、高速道路に沿って該フェンス１２が設けられて侵入の防止が図られているが、該フェンス１２にシート１，１・・・を吊下げるならば、猪や鹿の侵入を防止する上で効果がある。
【符号の説明】
【００２１】
１  シート
２  穴
３  側縁
４  下縁
５  上縁
６  ビニールシート
７  収容部
８  リボン
９  忌避剤
10  ロープ
11  補助ロープ
12  フェンス
13  上桟
14  下桟
15  スタンド
16  金網
【図１】
2010213671.tif 000003
【図２】
2010213671.tif 000004
【図３】
2010213671.tif 000005
【図４】
2010213671.tif 000006
【図５】
2010213671.tif 000007
【図６】
2010213671.tif 000008